(57)【要約】      （修正有）【課題】マットレスを一体にした複合敷布団において、展開した使用時には山折りする部分に敷布団の中綿が位置するとともに、三つ折りした時には山折りする部分でマット部に潰れによる反発が生じないようにし、折り畳みが容易なマットレス一体型積層敷布団を提供する。【解決手段】マットレス２と敷布団１３との積層体１４でのマット部並設方向に沿う側辺部それぞれに、第一マット部３と敷布団１３の側辺同士が縫製にて連結されている第一マット部側連結縫合部１８と、第三マット部５と敷布団１３の側辺同士が縫製にて連結されている第三マット部側連結縫合部１９と、第一マット部３の山折り部近傍部分から第三マット部５での谷折り部近傍部分に亘ってマットレス２側辺と敷布団１３側辺とを非縫合状態にして分離している分離部２３とが設けられ、敷布団１３での分離部２３の位置を側辺とする領域２４を、マットレス２に非固定状態で重ね合わせた。【選択図】図１
0003208087.tif 000002
【実用新案登録請求の範囲】
【請求項１】
第一マット部と第二マット部と第三マット部との三つのマット部が順に並設されているマットレスと、このマットレスの上面にして前記三つのマット部に亘って重ね合わされている敷布団とからなる積層体であり、
前記マットレスは、第一マット部と第二マット部とを山折り部を介して連接して第一マット部と第二マット部との間を敷布団側に向けて凸となる山折りにするとともに、第二マット部と第三マット部とを谷折り部を介して連接して第二マット部と第三マット部との間を敷布団とは反対側に凸となる谷折りにするＺ状の三つ折りに折り畳み可能に設けられていて、
マットレスと敷布団とが重ね合わされている前記積層体でのマット部並設方向に沿う側辺部それぞれに、
第一マット部と敷布団での第一マット部に対応している第一マット部対応部分との側辺同士が縫製にて連結されている第一マット部側連結縫合部と、
第三マット部と敷布団での第三マット部に対応している第三マット部対応部分との側辺同士が縫製にて連結されている第三マット部側連結縫合部と、
前記第一マット部側連結縫合部と第三マット部側連結縫合部との間であって、第一マット部での山折り部近傍部分から第三マット部での谷折り部近傍部分に亘ってマットレス側辺と敷布団側辺とを非縫合状態にして分離している分離部と
が設けられ、
敷布団での前記分離部の位置を側辺とする領域が、積層体が三つ折りに折り畳まれるときにマットレスに対して相対移動するようにマットレスに非固定状態で重ね合わされていることを特徴とするマットレス一体型積層敷布団。
【請求項２】
上記第一、第三マット部の側地は敷布団との縫合代を有していて、この第一、第三マット部の敷布団と縫合してなる側地の中芯収容容量が、第一、第三マット部に収容の中芯の体積に対応している請求項１に記載のマットレス一体型積層敷布団。
【考案の詳細な説明】
【技術分野】
【０００１】
本考案は、発泡ウレタン板などを中芯とするマットレスと中綿として綿、ポリエステルなどの化学繊維、羊毛などが詰められる敷布団とを一体的に組み合わせたマットレス一体型の積層敷布団に関するものである。
【背景技術】
【０００２】
従来から中綿のみを詰めた敷布団での床付き感を低減するために、中芯の上下に綿などの詰め物（中綿）を配した厚手の敷布団が提案されている（特許文献１参照）が、折り畳みすることができるマットレスのように分離されていないため、中芯と中綿との両方を一つの側地に入れた厚手の敷布団は折り畳みが困難になり、折り畳んだとしても中芯の強度によっては跳ね上がってしまい、持ち運びや収納が不便なものとなっている。
【０００３】
また三つ折りに折り畳むことができる中芯を配した従来のマットレスを使用する場合、硬い寝心地を軽減させるパットをそのマットレスの上面に掛けて使用することが一般的であるが、不使用時や収納時にはマットレスとパットとを分けてそれぞれを折り畳むという煩雑さがある。
【０００４】
本出願人は、この点から通常のマットレスのように三つ折りに折り畳むことができる三つのマット部を連接した形態であって、各マット部において中芯の上に綿を配置した折り畳みできるマットレス一体型の敷布団を検討した。
【０００５】
図５の（Ａ）で示す折り畳みできる上記マットレス一体型の敷布団１′は基本的には従来からのマットレス２の形態を呈するものであり、第一マット部３と第二マット部４と第三マット部５との三つのマット部が順に並設されている。
【０００６】
そして第一マット部３と第二マット部４とを山折り部６を介して連接して第一マット部３と第二マット部４との間を敷布団１′の上方となる側に向けて凸となる山折りにするとともに、第二マット部４と第三マット部５とを谷折り部７を介して連接して第二マット部４と第三マット部５との間を敷布団１′の下方となる側に向けて凸となる谷折りにするＺ状の三つ折りに折り畳み可能に設けられているものである。
【０００７】
第一、第二、第三マット部３、４、５それぞれは側地８、９、１０それぞれに同寸法の中芯１１が入れられているとともに、中芯１１の上面と側地の天面生地８ａ、９ａ、１０ａとの間に中綿１２が詰められているが、マットレス一体型の敷布団１′では、山折り部６で連結している第一マット部３と第二マット部４との間が上方に向けて開いて中綿が存在しない部分が生じ、使用時には段差を感じてしまう。
【０００８】
上述の問題から図５（Ｂ）に示すマットレス一体型積層敷布団１を検討した。この積層敷布団１は、マットレス２の上面に第一マット部３から第三マット部５に亘って連続する敷布団１３を重ね合わせた積層体１４であり、この積層体１４の側辺において敷布団１３の側辺部とマットレス２の側辺部とを連結して一体化したものである。
【０００９】
図５（Ｂ）に示すように、敷布団１３は側地１５に中綿１６が詰められているものである。そして敷布団１３の側辺部とマットレス２の側辺部との連結にあっては、敷布団１３の側地１４の側辺部と、第一、第二、第三マット部３、４、５の側地８、９、１０の天面生地８ａ、９ａ、１０ａにおける側辺部とを縫い合わせる形態とする。
【先行技術文献】
【特許文献】
【００１０】
【特許文献１】実開平０７−０１１９９９号公報
【考案の概要】
【考案が解決しようとする課題】
【００１１】
しかしながら、図６に示すように上述したマットレス一体型積層敷布団１では、第一マット部３と第二マット部４との間の上部が敷布団１３で連結された状態となって、第一マット部３と第二マット部４との間が開かず、積層敷布団１を三つ折りに折り畳むことができない。無理に三つ折りに折り畳んだとしても、第一マット部３の中芯１１と第二マット部４の中芯１１とのそれぞれの山折り部側が潰れて、山折りした箇所が跳ね上がってしまうという不具合が生じる。
【００１２】
そこで本考案は上記事情に鑑み、マットレスを一体にした複合敷布団において、展開した使用時には山折りする部分に敷布団の中綿が位置するとともに、三つ折りした時には山折りする部分でマット部に潰れによる反発が生じないようにすることを課題とし、折り畳みが容易なマットレス一体型積層敷布団を提供することを目的とするものである。
【課題を解決するための手段】
【００１３】
（請求項１の考案）
本考案は上記課題を考慮してなされたもので、第一マット部と第二マット部と第三マット部との三つのマット部が順に並設されているマットレスと、このマットレスの上面にして前記三つのマット部に亘って重ね合わされている敷布団とからなる積層体であり、
前記マットレスは、第一マット部と第二マット部とを山折り部を介して連接して第一マット部と第二マット部との間を敷布団側に向けて凸となる山折りにするとともに、第二マット部と第三マット部とを谷折り部を介して連接して第二マット部と第三マット部との間を敷布団とは反対側に凸となる谷折りにするＺ状の三つ折りに折り畳み可能に設けられていて、
マットレスと敷布団とが重ね合わされている前記積層体でのマット部並設方向に沿う側辺部それぞれに、
第一マット部と敷布団での第一マット部に対応している第一マット部対応部分との側辺同士が縫製にて連結されている第一マット部側連結縫合部と、
第三マット部と敷布団での第三マット部に対応している第三マット部対応部分との側辺同士が縫製にて連結されている第三マット部側連結縫合部と、
前記第一マット部側連結縫合部と第三マット部側連結縫合部との間であって、第一マット部での山折り部近傍部分から第三マット部での谷折り部近傍部分に亘ってマットレス側辺と敷布団側辺とを非縫合状態にして分離している分離部と
が設けられ、
敷布団での前記分離部の位置を側辺とする領域が、積層体が三つ折りに折り畳まれるときにマットレスに対して相対移動するようにマットレスに非固定状態で重ね合わされていることを特徴とするマットレス一体型積層敷布団を提供して、上記課題を解消するものである。
【００１４】
（請求項２の考案）
そして本考案は、上記第一、第三マット部の側地は敷布団との縫合代を有していて、この第一、第三マット部の敷布団と縫合してなる側地の中芯収容容量が、第一、第三マット部に収容の中芯の体積に対応していることが良好である。
【考案の効果】
【００１５】
（請求項１の考案の効果）
請求項１の考案によれば、積層敷布団を展開して使用するときには、第一マット部と第二マット部との間（山折りの際に頂部となる部分）の上部が敷布団で覆われた状態となり、この第一マット部と第二マット部との間で段差を感じさせることがない。
【００１６】
また積層敷布団を三つ折りに折り畳むときには、敷布団での上記分離部の位置を側辺とする領域がマットレスに対して移動するようになり、山折り部側のマット部に潰れを生じさせず、積層敷布団がスムーズに三つ折りできるという効果を奏する。
【００１７】
（請求項２の考案の効果）
請求項２の考案によれば、第一、第三マット部の側地は敷布団との縫合代を有していて、敷布団と縫い合わせる前の状態の第一、第三マット部の側地の容量は、第一、第三マット部の中芯の大きさより大きいものである。そして敷布団と第一、第三マット部との連結では第一、第三マット部の側地の縫製代を敷布団に対して縫い付けることになるため、第一マット部側連結縫製部と第三マット部側連結縫製部とによって敷布団に連結される第一マット部と第三マット部との側地に、縫い合わせによる突っ張りが生じない。よって積層敷布団の外観が損なわれないという効果を奏する。
【図面の簡単な説明】
【００１８】
【図１】本考案に係るマットレス一体型積層敷布団の一例を側方から見た状態で示す説明図である。
【図２】一例を上方から見た状態で示す説明図である。
【図３】一例を三つ折りして側方から見た状態で示す説明図である。
【図４】一例における敷布団と縫合前のマットレス側地を示す説明図である。
【図５】従来の例を示すもので、（Ａ）は三つ折りマットレスのマット部に中綿を配した検討例を示す説明図、（Ｂ）はマット部それぞれに敷布団を縫合した検討例を示す説明図である。
【図６】検討例における折り曲げ不良状態を示す説明図である。
【考案を実施するための形態】
【００１９】
つぎに本考案を図１から図４に示す実施の形態に基づいて詳細に説明する。なお、図５と図６に示す従来例と構成が重複する部分については同符号を付してその説明を省略する。本考案のマットレス一体型積層敷布団１は上述したように第一マット部３と第二マット部４と第三マット部５との三つのマット部が順に並設されているマットレス２と、このマットレス２の上面にして前記三つのマット部３、４、５に亘って重ね合わされている敷布団１３とからなる積層体１４である。
【００２０】
（マットレス部分）
マットレス２の基本形態は上述した従来例と同じように、第一マット部３と第二マット部４とを山折り部６を介して連接して第一マット部３と第二マット部４との間を敷布団１３側に向けて凸となる山折りにするとともに、第二マット部４と第三マット部５とを谷折り部７を介して連接して第二マット部４と第三マット部５との間を敷布団１３とは反対側に凸となる谷折りにするＺ状の三つ折りに折り畳み可能に設けられているものである。
【００２１】
（敷布団部分）
上記マットレス２とで積層体１４を構成している敷布団１３も、この積層体１４、即ち積層敷布団１を三つ折りに折り畳むときにマットレス２の折れに合わせて折りたたむことができるものであり、以下に説明する部分でマットレス２に連結されているものである。
【００２２】
（連結縫合部）
図１と図２とに示すように、積層体１４でのマット部並設方向に沿う側辺部１７それぞれに、第一マット部側連結縫合部１８と第三マット部側連結縫合部１９とが設けられていて、まず第一マット部側連結縫合部１８は、第一マット部３の側地８の天面生地８ａの側辺（後述の縫合代の部分）と、敷布団１３における第一マット部３に対応している第一マット部対応部分２０の側辺であって側地１５での側辺とを縫い合わせして連結している。
【００２３】
そして前記第三マット部側連結縫合部１９は、第三マット部５の側地１０の天面生地１０ａの側辺（縫合代の部分）と、敷布団１３における第三マット部５に対応している第三マット部対応部分２１の側辺であって側地１５での側辺とを縫い合わせして連結している。
【００２４】
また積層体１４でのマット部並設方向に直交する方向に沿う側辺部２２それぞれにおいても、側辺部１７の部分と連続するようにして、第一マット部側連結縫合部１８と、第三マット部側連結縫合部１９とが設けられており、側辺部１７の部分の連結縫合部と同様に側辺部２２のこの連結縫合部も、第一マット部３の側地８の天面生地８ａの側辺（積層体での短辺側）と、敷布団１３の第一マット部対応部分２０の側辺であって側地１５での側辺（積層体での短辺側）とを縫い合わせして連結し、また第三マット部５の側地１０の天面生地１０ａの側辺（積層体での短辺側）と、敷布団１３の第三マット部対応部分２１の側辺であって側地１５での側辺（積層体での短辺側）とを縫い合わせして連結している。勿論、敷布団１３との縫い合わせでは、マット部の側地の縫合代の部分で行われる。
【００２５】
（分離部）
さらに積層体１４での側辺部１７それぞれにあっては、上記第一マット部側連結縫合部１８と第三マット部側連結縫合部１９との間に分離部２３が設けられている。前記分離部２３は、第一マット部３での山折り部６近傍部分から第三マット部５での谷折り部７近傍部分に亘ってマットレス側辺と敷布団側辺とを非縫合状態にして分離している部分である。そして敷布団１３での前記分離部２３の位置の側辺にあっては、中綿１６を一緒にして側地１５の側辺部分を縫い合わせるヘム縫製が施されている。
【００２６】
このように積層体１４では側辺部１７それぞれに上記分離部２３が設けられていて、この分離部２３の部分でマットレス２の側辺と敷布団１３の側辺とが連結されていない。そして敷布団１３での分離部２３の位置を側辺とする領域２４が、積層体１４が三つ折りに折り畳まれるときにマットレス２に対して相対移動するようにマットレス２に非固定状態で重ね合わされている。
【００２７】
敷布団１３の上記領域２４がマットレス２に対して相対移動できるようにこのマットレス２に非固定状態にして重ね合わされていることから、図３に示すように積層布団１を三つ折りに折り畳むときには、領域２４でのマットレス２の谷折り部７に対応する部分が引き出されるようにして移動し、山折り部６側の第一マット部３と第二マット部４に潰れを生じさせずに領域２４がこの山折り部６を覆い、前記谷折り部７に対応する前記部分がその谷折り部７から離れた状態で折り畳まれて第二マット部４と第三マット部５との間に位置する。なお、図３において領域２４の移動を矢印にて示した。
【００２８】
この三つ折りの折り畳みでは上述したように山折り部６側の第一マット部３、第二マット部４とに潰れに抗する反発力が発生しないので、跳ね上がりが無い適正な三つ折りでの折り畳みか可能となる。なお、折り畳まれている積層敷布団１を展開すれば、領域２４が山折り部６側から谷折り部７側にかけて元の状態でマットレス２に重なるものである。
【００２９】
（マット部の側地の中芯収容容量）
実施の形態での積層敷布団１におけるマットレス２において、敷布団１３と縫い合わされていない第二マット部４の側地９は中芯１１がちょうど収まる大きさであって、中芯１１の外形寸法に対応した大きさの中芯収容容量となるように形成されている。
【００３０】
これに対して第一、第三マット部３、５の側地８、１０にあっては、上述したように敷布団１３の側地１５と縫合することから、縫合する前の状態での側生地の縫合代２５を含んでなる容量は、縫合代２５を利用して縫合した状態での側地８、１０の中芯収容容量より大としている。図４は縫合前のマットレス２の側地を示していて、仮想線は縫合後の状態を示す。
【００３１】
そして敷布団１３と縫合して連結することで、第一マット部３と第三マット部５との側地８、１０の中芯収容容量が、中芯１１の外形寸法に対応した大きさの容量となるように形成されて、第一マット部３、第三マット部５に突っ張った外観部分を生じさせずに製品全体の形状が綺麗な仕上がりとなるように整えられている。
【００３２】
なお図２において符号２６は、敷布団１３の中綿１６の移動や偏りを抑えるために上下の側生地を縫い合わせた縫合線を示している。
【符号の説明】
【００３３】
１…マットレス一体型積層敷布団
２…マットレス
３…第一マット部
４…第二マット部
５…第三マット部
６…山折り部
７…谷折り部
８…第一マット部の側地
９…第二マット部の側地
１０…第三マット部の側地
１１…中芯
１３…敷布団
１４…積層体
１５…敷布団の側地
１８…第一マット部側連結縫合部
１９…第三マット部側連結縫合部
２０…第一マット部対応部分
２１…第三マット部対応部分
２３…分離部
２４…領域
２５…縫合代
【図１】
0003208087.tif 000003
【図２】
0003208087.tif 000004
【図３】
0003208087.tif 000005
【図４】
0003208087.tif 000006
【図５】
0003208087.tif 000007
【図６】
0003208087.tif 000008